(57)【特許請求の範囲】
【請求項１】
複数の光ファイバをテープ状に連結した光ファイバテープ心線における互いに隣接する光ファイバ間の連結部がテープ心線長手方向に間欠的に設けられるとともに、心線長手方向の同一位置に光ファイバ間の連結部が１つも存在しない非連結領域が存在する間欠固定テープ心線を単心光ファイバに分割するテープ心線分割工具であって、
直線状のレールとこのレールに案内されてスライド可能な分割工具本体とからなり、
前記分割工具本体は、レールに案内されてスライド可能な本体ベースと、この本体ベースに開閉可能又は着脱可能に取り付けられた蓋部とを備え、
前記本体ベースと蓋部との間にはテープ心線を挿通させるテープ心線挿通通路が形成されており、
前記蓋部又は本体ベースには、テープ心線の心線長手方向の同一位置に光ファイバ間の連結部が１つも存在しない非連結領域において、前記隣接する光ファイバ間に入り込むことが可能な幅の狭い引裂き用薄片を間隔をあけて複数設けた分割作用部材を備え、かつ、前記分割作用部材に下向きの付勢力を付与する下向き付勢力付与手段を備え、
前記分割工具本体を、前記分割作用部材に前記下向きの付勢力が付与された状態で、レールに沿ってスライドさせたとき、テープ心線の心線長手方向の同一位置に光ファイバ間の連結部が１つも存在しない非連結領域において前記分割作用部材の各引裂き用薄片が隣接する光ファイバ間にそれぞれ入り込み引き続きスライドさせることで、前記テープ心線挿通通路に挿通させたテープ心線が前記分割作用部材の引裂き用薄片により単心分割されるようにしたことを特徴とするテープ心線分割工具。
【請求項２】
前記分割作用部材がスプリングコイルであり、スプリングコイルの螺旋状をなす線材のコイル直径方向端部においてレール幅方向に並ぶ個々の線材部がそれぞれ引裂き用薄片を構成していることを特徴とする請求項１記載のテープ心線分割工具。
【請求項３】
前記分割作用部材が蓋部に設けられるとともに、前記分割作用部材に下向きの付勢力を付与する下向き付勢力付与手段として、前記分割作用部材を弾性的にテープ心線側に押し付けるバネを備えたことを特徴とする請求項１又は２記載のテープ心線分割工具。
【請求項４】
前記蓋部が本体ベースの側部にレールと平行に設けたヒンジにより開閉可能に設けられていることを特徴とする請求項３記載のテープ心線分割工具。
【請求項５】
前記蓋部は、本体ベースの側部にレールと平行に設けたヒンジにより開閉可能に設けられた蓋部本体と、前記分割作用部材を備えるとともにレール幅方向と平行なヒンジにより蓋部本体に回動可能に設けられた回動可能部材と、この回動可能部材をテープ心線側に弾性的に付勢するバネとからなることを特徴とする請求項４記載のテープ心線分割工具。
【請求項６】
レールの一端側に、対象とする光ファイバテープ心線をレール長手方向に移動しないように保持するテープ心保持具を設けたことを特徴とする請求項１〜５のいずれか１項に記載のテープ心線分割工具。
【請求項７】
レールに当該レールを、単心分割処理対象の光ファイバテープ心線が収納されている筐体内の部材に引っ掛け可能な吊り下げ手段を設けたことを特徴とする請求項１〜６のいずれか１項に記載のテープ心線分割工具。
【発明の詳細な説明】
【技術分野】
【０００１】
この発明は、互いに隣接する光ファイバ間の連結部がテープ心線長手方向に間欠的に設けられた間欠固定テープ心線を単心光ファイバに分割するテープ心線分割工具に関する。
【背景技術】
【０００２】
例えば光加入者網において、幹線等の光ケーブルから光ファイバテープ心線を取り出して加入者側に引き落とす場合、通常光ファイバテープ心線を１心あるいは少心数の光ファイバ心線に分割する作業が必要となる。その作業においては、光ファイバテープ心線を構成する複数の光ファイバを傷付けることなく分割することが重要である。
また、活線の光ファイバテープ心線を活線状態のまま分割する必要が生じた場合には、単に光ファイバを傷付けないというだけでなく、光ファイバに作用した曲げや側圧によって一時的にでも伝送損失が生じて信号が乱れることもないことが求められる。
【０００３】
光ファイバテープ心線は一般に、光ファイバテープ心線を構成する複数の光ファイバが心線長手方向全体に亘ってテープ状をなしており、例えば、横１列に並べた複数の光ファイバ素線の全周にテープ化材となるＵＶ樹脂を塗布して構成している。このような構成の光ファイバテープ心線を単心分割（単心線に分割）するには、光ファイバ素線の全周を覆っているＵＶ樹脂被覆を除去する必要がある。
この種の光ファイバテープ心線を分割する工具として、特許文献１〜３などに示された分割工具がある。
特許文献１自体は光ファイバテープ心線についての発明であるが、特許文献１中に記載されている分割工具は、多数の短い可撓性線材をブラシ状に植え込んだ可撓性線材付き分割工具であり、光ファイバテープ心線を擦ることで外被のＵＶ樹脂被覆を剥ぎ取って分割する。
【０００４】
特許文献２の光ファイバテープ心線の分割工具は、高分子樹脂製の略円形の複数の突起を持つ分割工具であり、この分割工具の前記複数の突起をテープ心線の上下面に当接させてテープ心線を長手方向にしごくことで、外被のテープ化樹脂を剥ぎ取って、複数の単心光ファイバに分割（単心分割と呼ぶ）するというものである。
【０００５】
特許文献３の光ファイバテープ心線の分割工具は、相対的にスライド可能に相接している移動分割部材と固定分割部材とで光ファイバテープ心線を保持し、移動分割部材をスライドさせることで、光ファイバテープ心線における移動分割部材と固定分割部材との境界位置にせん断力を与えて、光ファイバ素線間の境界面で分割するものである。
そして、その状態で分割工具を光ファイバテープ心線の長手方向にスライドさせることにより、所要の長さの分割が行われる。
【０００６】
上記従来の分割工具はいずれも、光ファイバテープ心線を構成する複数の光ファイバが心線長手方向全体に亘ってテープ状をなしている一般的な光ファイバテープを対象としているが、単心分割が容易な光ファイバテープ心線として、特許文献４などのように、互いに隣接する光ファイバ間の連結部がテープ心線長手方向に間欠的に設けられた間欠固定テープ心線が知られている。
【先行技術文献】
【特許文献】
【０００７】
【特許文献１】特開２００７−１４８２７０
【特許文献２】特開２００７−１８３５１５
【特許文献３】特開平８−３２７８２９
【特許文献４】特許４１４３６５１号
【発明の概要】
【発明が解決しようとする課題】
【０００８】
上記特許文献１に記載の可撓性線材付き分割工具、あるいは特許文献２の多数の樹脂製突起付き分割工具では、テープ心線を擦ってあるはしごいて外被のテープ化樹脂を剥ぎ取る際に、光ファイバに曲がりが加わり易く、分割作業時に光ファイバに一時的にでも大きな伝送損失が生じる恐れがある。
また、テープ化材を剥ぎ取るまで、何度もテープ心線を擦ったりしごいたりしなければならず、単心分割に時間がかかり、作業性が良好でないという問題もある。
【０００９】
特許文献３の分割工具は、テープ心線にせん断力を与えて分割する際、テープ心線の幅方向位置が少しでもずれると、分割しようとする光ファイバ素線境界面の位置からずれた位置にせん断力が作用して、光ファイバ素線に傷を与える恐れがある。
また、１回の分割作業でのせん断個所は一箇所のみであり、テープ心線を２分割することしかできないので、テープ心線を単心分割したい場合には２段階あるいはそれ以上の複数段階の分割作業をしなければならず、単心分割には不向きである。
また、分割作業後にテープ化樹脂が光ファイバ心線の周囲に残ってしまうので、それを除去する必要がある場合に、その処理に手間がかかる場合もある。
【００１０】
上記の各テープ心線分割工具の分割手段はいずれも、曲げ力などの光損失の原因となる力が作用し易く、活線状態の光ファイバテープ心線に対しては不向きである。
また、特許文献１に記載の分割工具や特許文献２の分割工具の場合は、工具及びテープ心線を手で持って分割操作をするものであり、その点でも光ファイバに曲げ力などの光損失の原因となる力が作用し易い。
【００１１】
一方、特許文献４の間欠固定テープ心線は、特別な分割工具を用いなくても、手作業で単心光ファイバに分割することができる。
しかし、光ファイバテープ心線を単心分割する必要が生じるのは、主としてクロージャにおいて中間後分岐作業をする場合などであり、その場合、通常、活線状態の光ファイバテープ心線（活線状態の光ファイバを含む光ファイバテープ心線）について単心分割することになるが、手作業による作業では光ファイバに曲げ力などを作用させ易いという問題がある。
また、前記のように特許文献１〜３の分割工具は光損失の原因となる力が作用し易いが、また、間欠固定テープ心線に対して適切とは言い難い。
【００１２】
本発明は上記背景のもとになされたもので、特に、間欠固定テープ心線を対象として、分割作業時に光ファイバに光損失を発生させる曲げなどが生じず、かつ、作業性が良好で、例えばクロージャにおける活線状態の光ファイバテープ心線の分割作業に適用して好適なテープ心線分割工具を提供することを目的とする。
【課題を解決するための手段】
【００１３】
上記課題を解決する請求項１の発明は、複数の光ファイバをテープ状に連結した光ファイバテープ心線における互いに隣接する光ファイバ間の連結部がテープ心線長手方向に間欠的に設けられるとともに、心線長手方向の同一位置に光ファイバ間の連結部が１つも存在しない非連結領域が存在する間欠固定テープ心線を単心光ファイバに分割するテープ心線分割工具であって、
直線状のレールとこのレールに案内されてスライド可能な分割工具本体とからなり、
前記分割工具本体は、レールに案内されてスライド可能な本体ベースと、この本体ベースに開閉可能又は着脱可能に取り付けられた蓋部とを備え、
前記本体ベースと蓋部との間にはテープ心線を挿通させるテープ心線挿通通路が形成されており、
前記蓋部又は本体ベースには、テープ心線の心線長手方向の同一位置に光ファイバ間の連結部が１つも存在しない非連結領域において、前記隣接する光ファイバ間に入り込むことが可能な幅の狭い引裂き用薄片を間隔をあけて複数設けた分割作用部材を備え、かつ、前記分割作用部材に下向きの付勢力を付与する下向き付勢力付与手段を備え、
前記分割工具本体を、前記分割作用部材に前記下向きの付勢力が付与された状態で、レールに沿ってスライドさせたとき、テープ心線の心線長手方向の同一位置に光ファイバ間の連結部が１つも存在しない非連結領域において前記分割作用部材の各引裂き用薄片が隣接する光ファイバ間にそれぞれ入り込み引き続きスライドさせることで、前記テープ心線挿通通路に挿通させたテープ心線が前記分割作用部材の引裂き用薄片により単心分割されるようにしたことを特徴とする。
【００１４】
請求項２は、請求項１のテープ心線分割工具において、分割作用部材がスプリングコイルであり、スプリングコイルの螺旋状をなす線材のコイル直径方向端部においてレール幅方向に並ぶ個々の線材部がそれぞれ引裂き用薄片を構成していることを特徴とする。
【００１５】
請求項３は、請求項１又は２のテープ心線分割工具において、分割作用部材が蓋部に設けられるとともに、前記分割作用部材に下向きの付勢力を付与する下向き付勢力付与手段として、前記分割作用部材を弾性的にテープ心線側に押し付けるバネを備えたことを特徴とする。
【００１６】
請求項４は、請求項３のテープ心線分割工具において、蓋部が本体ベースの側部にレールと平行に設けたヒンジにより開閉可能に設けられていることを特徴とする。
【００１７】
請求項５は、請求項４のテープ心線分割工具において、蓋部が、本体ベースの側部にレールと平行に設けたヒンジにより開閉可能に設けられた蓋部本体と、前記分割作用部材を備えるとともにレール幅方向と平行なヒンジにより蓋部本体に回動可能に設けられた回動可能部材と、この回動可能部材をテープ心線側に弾性的に付勢するバネとからなることを特徴とする。
【００１８】
請求項６は、請求項１〜５のいずれか１項のテープ心線分割工具において、レールの一端側に、対象とする光ファイバテープ心線をレール長手方向に移動しないように保持するテープ心保持具を設けたことを特徴とする。
【００１９】
請求項７は、請求項１〜６のいずれか１項のテープ心線分割工具において、レールに当該レールを、単心分割処理対象の光ファイバテープ心線が収納されている筐体内の部材に引っ掛け可能な吊り下げ手段を設けたことを特徴とする。
【発明の効果】
【００２０】
本発明のテープ心線分割工具において、テープ心線（光ファイバテープ心線）を、分割工具本体に形成されたテープ心線挿通通路に挿通した状態でテープ心線をレールの一端側で保持し、この状態で、分割作用部材が下向き付勢力付与手段により下向きの付勢力を付与された状態にある分割工具本体をレールに沿って他端側にスライドさせると、テープ心線の心線長手方向の同一位置に光ファイバ間の連結部が１つも存在しない非連結領域にきたときには、分割作用部材の引裂き用薄片が、テープ心線におけるすべての隣接する光ファイバ間（互いに隣接する光ファイバどうしの境界）に入りこむ。例えば４心テープ心線の場合で言えば、テープ幅方向の３箇所の光ファイバ間に入り込む。さらに分割工具本体をスライドさせると、分割工具本体が移動した範囲におけるテープ心線の隣接する光ファイバ間の連結部はすべて、引裂き用薄片により引裂かれる。これにより、概ねレールの長さに近い範囲において、テープ心線が単心分割される。
【００２１】
このように、分割工具本体をレールに沿って直線的にスライドさせることで、分割工具本体のテープ心線挿通通路に通されたテープ心線が単心分割されるので、テープ心線は真っ直ぐの姿勢のままで単心分割され、光損失の原因となる曲げ力が光ファイバに作用することを防止できる。
テープ心線の単心分割は、分割作用部材における幅の狭い引裂き用薄片が隣接する光ファイバ間に入り込み、引き続きレールに沿って直線状に移動することで行われるので、単心分割作用を果たす分割力の方向が、光ファイバの断面方向でなく光ファイバ長手方向なので、この点でも光ファイバに光損失となる力が作用する恐れは少ない。
【００２２】
請求項２のように分割作用部材としてコイルスプリングを利用した場合、スプリングコイルの螺旋状をなす線材のコイル直径方向端部においてレール幅方向に並ぶ個々の線材部がそれぞれ引裂き用薄片を構成するが、線材の光ファイバ間に入り込む部分は外面に丸みを有するとともに螺旋の一部であるので、心線長手方向に移動しながら光ファイバ間に入り込む作用を有効に果たすことができる。
【００２３】
請求項５の構成にように、蓋部本体が本体ベースの側部にヒンジにより開閉可能に取り付けられ、この蓋部本体にレール幅方向と平行なヒンジにより回動可能に設けられた回動可能部材に分割作用部材が設けられ、この分割作用部材がバネでテープ心線側に弾性的に付勢される構成は、分割作用部材にテープ心線を単心分割する作用を果たさせる構成として、また、単心分割作業をする作業性として、極めて適切である。
【００２４】
単心分割作業に際して、テープ心線の保持を手で行うことも可能であるが、請求項６のようにレールの一端側にテープ心線保持具を設けると、単心分割作業中にテープ心線がみだりに動かず安定し、光損失の原因となる力を発生させないために有効である。また、単心分割作業の作業性も良好である。
【００２５】
請求項７のようにレールに吊り下げ手段を設けると、例えば架空光クロージャにおける光ケーブル後分岐作業などの際に、レールをクロージャ内部のフレーム等に引っ掛けて、活線状態のテープ心線の単心分割作業をすることができるので、本発明の分割工具の作業性のよさが一層顕著に発揮される。
【図面の簡単な説明】
【００２６】
【図１】本発明の一実施例のテープ心線分割工具の斜視図である。
【図２】上記テープ心線分割工具の全体構成を模式的に示したもので、（ａ）は平面図、（ｂ）は正面図である。
【図３】上記のテープ心線分割工具における分割工具本体の平面図である。
【図４】図３の分割工具本体の正面図である。
【図５】図４の一部を省略した左側面図である。
【図６】図４の一部を省略した右側面図である。
【図７】上記分割工具本体における蓋部の詳細を示すもので、（ａ）は平面図、（ｂ）は正面図、（ｃ）は（ａ）の左側面図である。
【図８】図６で蓋部を開いた状態を示す図である。
【図９】図１のテープ心線分割工具におけるテープ心線固定具を示すもので、（ａ）は平面図、（ｂ）は（ａ）の左側面図である。
【図１０】上記のテープ心線分割工具において分割作用部材の引裂き薄片として用いたコイルスプリングの機能を説明する図であり、（ａ）はコイルスプリングの個々の線材が隣接する光ファイバ間に入り込めない状態、（ｂ）はコイルスプリングの個々の線材が隣接する光ファイバ間に入り込むことができる状態をそれぞれ示し、（ｃ）は（ｂ）の状態の時にコイルスプリングの個々の線材が隣接する光ファイバ間に入り込んだ状態を示す図である。
【図１１】（ａ）〜（ｄ）はそれぞれ、隣接する光ファイバ間の連結部が１箇所でもあると、コイルスプリングの線材が隣接する光ファイバ間に入り込むことができないことを説明する図である。
【図１２】（ａ）は上記のテープ心線分割工具を架空光クロージャにおける活線光ファイバテープ心線のテープ心線分割作業に用いる状態を説明する図であり、（ａ）は架空光クロージャの模式的な正面図、（ｂ）は（ａ）におけるテープ心線分割工具の側面図である。
【発明を実施するための形態】
【００２７】
以下、本発明を実施したテープ心線分割工具について、図面を参照して説明する。
【実施例１】
【００２８】
図１は本発明の一実施例のテープ心線分割工具１の斜視図、図２はテープ心線分割工具１の全体構成を模式的に示したもので、（ａ）は平面図、（ｂ）は正面図である。
本発明のテープ心線分割工具は、複数の光ファイバをテープ状に連結した光ファイバテープ心線２における互いに隣接する光ファイバ２ａ間の連結部３がテープ心線長手方向に間欠的に設けられた間欠固定テープ心線２を単心光ファイバに分割するテープ心線分割工具である。
図示例の光ファイバテープ心線（以下、場合により単にテープ心線という）２は、直径０．２５ｍｍのいわゆるＵＶ素線（光ファイバ２ａ）からなる４心テープ心線であり、連結部３は例えば紫外線硬化樹脂や熱硬化樹脂による連結部である。
このテープ心線分割工具１は、直線状のレール５と、このレール５に案内されてスライド可能な分割工具本体６と、テープ心線が移動しないように保持するテープ心線保持具７とを備えている。
レール５はやや扁平な下向きコ字形断面をなす長さ６０〜８０ｃｍ程度の部材で、上面に両端部を残して案内溝５ａを形成している。
図示例のレール５には、例えば架空光クロージャの内部のフレーム等に引っ掛け可能な吊り棒（吊り下げ手段）１０を設けている。
【００２９】
前記分割工具本体６の詳細構造を図３〜図８に示す。図３は分割工具本体６の平面図、図４は同正面図、図５は図４の要部の左側面図、図６は図４の要部の右側面図である。
この分割工具本体６は、レール５に案内されてスライド可能な本体ベース８と、この本体ベース８に開閉可能に取り付けられた蓋部９とを備えている。
本体ベース８の下面には、下向きに突出してレール５の前記案内溝５ａにスライド可能に嵌合する被案内凸部８ａが形成されている。
本体ベース８と蓋部９との間にはテープ心線２を挿通させるテープ心線挿通通路１１が形成されている。
【００３０】
蓋部９は、本体ベース８の側部にレール５の長手方向と平行に設けたヒンジ軸１２により開閉可能に設けられた蓋部本体１３と、レール幅方向（レール長手方向と直交する方句）と平行なヒンジ軸１４により蓋部本体１３に回動可能に設けられた回動可能部材１５とを備え、この回動可能部材１５をテープ心線側（図４等で下向きに）に弾性的に付勢する捩りバネ１６を備えている。この実施例では、前記捩りばね１６及び前記回動可能部材１５が分割作用部材（コイルスプリング２１）に下向きの付勢力を付与する下向き付勢力付与手段を構成する。図７（ａ）、（ｂ）、（ｃ）は、蓋部９を本体ベース８から外した状態のそれぞれ平面図、正面図、要部左側面図を示す。１３ａはヒンジ軸１２が嵌合するヒンジ軸穴を示す。
前記蓋部本体１３は、図８に示すように、回動可能部材１５とともにヒンジ軸１２を中心として開閉可能であり、本体ベース８側に倒した時、本体ベース８の上面に埋め込んだマグネット１３ｂに吸着されて、本体ベース８上に閉じた状態で保持される。
【００３１】
前記回動可能部材１５は、２つのスイングアーム１７、１７からなる。２つのスイングアーム１７は対称形状であり、それぞれの基端部が前記前記ヒンジ軸１４に回動可能に取り付けられているとともに、それぞれの前記ヒンジ軸１４と反対側にあけたレール幅方向の貫通穴１７ａに共通の軸１８が嵌合して、両者が前記ヒンジ軸１４を中心として一体に上下に首振り回動可能にされている。そして、前記軸１８に分割作用部材であるコイルスプリング２１が保持されている。
このコイルスプリング２１の螺旋状をなす線材のコイル直径方向端部においてレール幅方向に並ぶ個々の線材部が、次に述べるようにそれぞれ引裂き用薄片を構成する。図１０はコイルスプリング２１の一部をテープ心線２とともに拡大して示したもので、コイルスプリング２１の螺旋状をなす線材のコイル直径方向端部（図１０の下端部）においてレール幅方向（図１０で左右方向）に並ぶ個々の線材部２１ａがそれぞれ、テープ心線の心線長手方向の同一位置に光ファイバ間の連結部が１つも存在しない非連結領域（図２において例えばｄで示す領域）において、前記隣接する光ファイバ２ａ間に入り込むことが可能な幅の狭い引裂き用薄片を構成する。
コイルスプリング２１のサイズは例えば、コイル径が３．４５ｍｍ、線材２１ａの径が０．２６ｍｍである。
【００３２】
前記テープ心線保持具７は、図９にも示すように、溝状のテープ心線挿通通路２３を有しレール５の一端部に取り付けられる保持具ベース２４と、この保持具ベース２４の側部にヒンジ軸２５により回動可能に取り付けられた押さえ蓋２６とからなり、テープ心線挿通通路２３に挿通させたテープ心線２を保持することができる。押さえ蓋２６は、保持具ベース２４の上面に埋め込んだマグネット２４ａに吸着されて、テープ心線２を押さえ保持する。
【００３３】
上記のテープ心線分割工具１によりテープ心線２を単心分割する場合、図２に示すように、分割工具本体６をレール５の端部のテープ心線保持具７の近傍に位置させておく。
テープ心線２を、押さえ蓋２６を開いたテープ心線保持具７のテープ心線挿通通路２３、及び蓋部９を開いた分割工具本体６のテープ心線挿通通路１１に挿通させる。テープ心線保持具７の押さえ蓋２６を閉ざしてテープ心線２を保持（固定）し、次いで、分割工具本体６の蓋部９を閉ざす。
この状態で、２つのスイングアーム１７からなる回動可能部材１５は、蓋部本体１３とともに本体ベース８上に被せられ、捩りバネ１６で下向きの回動力を付勢された回動可能部材１５に保持されたコイルスプリング２１が、テープ心線の上に弾性的に押し付けられる状態となる。
この状態で分割工具本体６をレール５に沿って他端側にスライドさせると、コイルスプリング２１が、テープ心線の心線長手方向の同一位置に光ファイバ間の連結部が１つも存在しない非連結領域にきたときには、コイルスプリング２１の螺旋状をなす線材のコイル直径方向端部（図１０の下端部）においてレール幅方向（図１０で左右方向）に並ぶ個々の線材部２１ａがそれぞれ、連結部が１つも存在しない前記非連結領域おいて、隣接する光ファイバ２ａ間に入り込む。図示例の４心テープ心線の場合では、テープ幅方向の３箇所の光ファイバ間に入り込む。
さらに分割工具本体６をスライドさせると、分割工具本体６が移動した範囲におけるテープ心線の光ファイバ間の連結部３はすべて、コイルスプリング２１の線材（引裂き用薄片）２１ａにより引裂かれる。これにより、概ねレール５の長さに近い範囲において、テープ心線２が個々の光ファイバ２ａに単心分割される。
【００３４】
上記のように、分割工具本体６をレール５に沿って直線的にスライドさせることで、分割工具本体６のテープ心線挿通通路１１に通されたテープ心線が単心分割されるので、テープ心線２は真っ直ぐの姿勢のままで単心分割され、光損失の原因となる曲げ力が光ファイバ２ａに作用することを防止できる。
テープ心線の単心分割は、コイルスプリング２１のコイル直径方向端部の個々の線材２１ａが隣接する光ファイバ間に入り込み、引き続きレールに沿って直線状に移動することで行われるので、単心分割作用を果たす分割力の方向が、光ファイバの断面方向でなく光ファイバ長手方向であり、この点でも光ファイバに光損失となる力が作用する恐れは少ない。
特に、分割作用部材として実施例のようにコイルスプリングを用いた場合、線材２１ａの光ファイバ間に入り込む部分は、外面に丸みを有するとともに螺旋の一部である（心線長手方向に僅かに角度を有する）ので、心線長手方向に移動しながら光ファイバ間に入り込み易い。
【００３５】
分割工具本体６をある程度の距離スライドさせると、コイルスプリング２１のコイル直径方向端部の個々の線材２１ａが必ず光ファイバ間に入り込む動作をすることについて図１０、図１１を参照して説明する。
図１０（ａ）はコイルスプリング２１が、テープ心線２の４本の光ファイバ２ａのうちの図で左側の２本の連結部３の位置（例えば図２で矢印Ｋで示した連結部３の位置）にある場合を示す。この状態では、コイルスプリング２１の線材２ａが連結部３で受け止められる。
この状態では、図１１に模式的に示すように、コイルスプリング２１の線材２１ａとテープ心線２の２本の光ファイバ２ａの連結部３とのレール幅方向相対位置関係によらず、コイルスプリング２１は連結部３で受け止められる。
間欠固定テープ心線２は、隣接する光ファイバ間の連結部がテープ心線長手方向に間欠的に設けられており、心線長手方向の同一位置に連結部が１つも存在しないおける非連結領域が必ず存在するので、コイルスプリング２１をスライドさせていくと、テープ心線２の各光ファイバ２ａが図１０（ｂ）のようにすべて分離している箇所に必ず達する。
この時、コイルスプリング２１の線材２１ａは、下降することを妨げられず捩りバネ１４の下向きの付勢力で押し下げられ、図１０（ｃ）のように光ファイバ間に入り込むことができる。
その後は、分割工具本体６をさらにスライドさせることで、前記の通り、テープ心線の単心分割が行われる。
【００３６】
レール５に取り付けた前述の図２の吊り棒１０は、これを例えば、図１３（ａ）、（ｂ）に模式的に示したように、架空光クロージャ３０の内部のフレーム３１に引っ掛けることで、例えば光ケーブル３２の後分岐作業などの際に、テープ心線分割工具１をクロージャ３０内のフレーム３１に引っ掛けて、活線状態のテープ心線の単心分割作業をすることができる。
これにより、本発明のテープ心線分割工具１の作業性のよさが一層顕著に発揮される。
【実施例２】
【００３７】
上述の実施例では、分割作用部材としてコイルスプリング２１を用いたが、これに限らず、テープ心線の心線長手方向の同一位置に連結部が１つも存在しない非連結領域において、前記隣接する光ファイバ間に入り込むことが可能な幅の狭い引裂き用薄片を間隔をあけて複数備えたものであればよく、例えば櫛歯状のものを用いることも考えられる。
また、実施例では、レール５の一端部にテープ心線保持具７を設けたので、単心分割作業中にテープ心線がみだりに動かず安定し、光損失の原因となる力を発生させないために有効であり、単心分割作業の作業性も良好であるが、テープ心線保持具を特に設けずに、テープ心線の保持を例えば手で行うことも可能である。
また、実施例では分割作用部材を蓋部９側に設けているが、本体ベース８側に設けることも考えられる。
また、実施例では蓋部９を本体ベース８に対してヒンジにより開閉可能に取り付けているが、単に着脱可能な構造とすることも考えられる。
本発明で対象とするテープ心線を構成する光ファイバは、実施例の直径０．２５ｍｍのＵＶ素線に限らず、一般にテープ心線を構成するために用いられる種々の光ファイバを用いることができる。
対象とするテープ心線（間欠固定テープ心線）における隣接する光ファイバ間の連結部の配置の態様は、実施例のような態様に限らず、例えば心線長手方向の同一位置で３本の光ファイバが連結されている態様などでもよい。要するに、連結部が心線長手方向に間欠的に設けられており、少なくともテープ心線の心線長手方向の同一位置に連結部が１つも存在しない非連結領域がある態様であればよい。
また、隣接する光ファイバ間を連結する連結手段は、実施例では接着剤によるものとしたが、種々の連結手段を採用することができる。
また、
【符号の説明】
【００３８】
１  テープ心線分割工具
２  テープ心線（間欠固定テープ心線）
２ａ  光ファイバ
３  （隣接する光ファイバ間の）連結部
５  レール
５ａ  案内溝
６  分割工具本体
７  テープ心線保持具
８  本体ベース
８ａ  被案内凸部
９  蓋部
１０  吊り棒（吊り下げ手段）
１１、２３  テープ心線挿通通路
１２  ヒンジ軸
１３  蓋部本体
１３ａ  ヒンジ軸穴
１４  ヒンジ軸
１５  回動可能部材
１６  捩りバネ
１７  スイングアーム
１７ａ  貫通穴
１８  軸
２１  コイルスプリング
２１ａ  （コイルスプリングのコイル直径方向端部の）線材部（引裂き用薄片）
２４  保持具ベース
２５  ヒンジ軸
２６  押さえ蓋
３０  光クロージャ
３１  フレーム
ｄ  非連結領域
【図１】
0005469051.tif 000002
【図２】
0005469051.tif 000003
【図３】
0005469051.tif 000004
【図４】
0005469051.tif 000005
【図５】
0005469051.tif 000006
【図６】
0005469051.tif 000007
【図７】
0005469051.tif 000008
【図８】
0005469051.tif 000009
【図９】
0005469051.tif 000010
【図１０】
0005469051.tif 000011
【図１１】
0005469051.tif 000012
【図１２】
0005469051.tif 000013